(57)【特許請求の範囲】
【請求項１】
ねじの有効径を測定する上方部に金属板製銘盤を設け、該銘盤の下方部に吊り部を有し、前記吊り部の下方部にゲージ体が連接されている３本のゲージから構成されている三針ゲージにおいて、前記三針ゲージの中、１本側に使用する最も平均針径に近い１本側ゲージに、他の２本側ゲージと識別することができるように前記１本側ゲージを着色による識別を施すことを特徴とする三針ゲージ。
【請求項２】
ねじの有効径を測定する上方部に金属板製銘盤を設け、該銘盤の下方部に吊り部を有し、前記吊り部の下方部にゲージ体が連接されている３本のゲージから構成されている三針ゲージにおいて、前記三針ゲージの中、１本側に使用する最も平均針径に近い１本側ゲージ以外の２本側ゲージに、前記１本側ゲージと識別することができるように着色による識別を施すことを特徴とする三針ゲージ。
【請求項３】
前記着色による識別を施す対象物が、三針ゲージの１本側ゲージもしくは２本側ゲージのゲージ体を接続する金属製銘盤の下方部に設けられている吊り部であることを特徴とする請求項１又は２に記載の三針ゲージ。
【請求項４】
前記着色による識別を施す対象物が、金属製銘盤の下方部に設けられている前記吊り部の下端部のゲージ体であることを特徴とする請求項１又は２又は３に記載の三針ゲージ。
【請求項５】
ねじの有効径を測定する上方部に金属製銘盤を設け、該銘盤の下方部に吊り部を有し、前記吊り部の下方部にゲージ体が連接されている３本のゲージから構成されている三針ゲージにおいて、前記３本の三針ゲージの中、１本側に使う最も平均値に近い１本側ゲージ及び２本側ゲージを接続する銘盤に、前記１本側ゲージの平均針径を表記せしめることを特徴とする請求項１又は２又は３又は４に記載の三針ゲージ。
【請求項６】
ねじの有効径を測定する上方部に金属板製銘盤を設け、該銘盤の下方部に吊り部を有し、前記吊り部の下方部にゲージ体が連接されている３本のゲージから構成されている三針ゲージにおいて、前記三針ゲージの中、１本側に使用する最も平均針径に近い１本側ゲージの吊り部が、他の２本側ゲージの吊り部と識別することができるように、前記１本側ゲージの吊り部を形状による識別もしくは大きさによる識別を施すことを特徴とする請求項１又は３又は４又は５に記載の三針ゲージ。
【請求項７】
ねじの有効径を測定する上方部に金属板製銘盤を設け、該銘盤の下方部に吊り部を有し、前記吊り部の下方部にゲージ体が連接されている３本のゲージから構成されている三針ゲージにおいて、前記三針ゲージの中、１本側に使用する最も平均針径に近い１本側ゲージの吊り部以外の２本側ゲージの吊り部が、前記１本側ゲージの吊り部と識別することができるように形状による識別もしくは大きさによる識別を施すことを特徴とする請求項２又は３又は４又は５に記載の三針ゲージ。
【発明の詳細な説明】
【技術分野】
【０００１】
本発明は、精密ねじ及び限界ねじゲージのねじの有効径を測定する三針ゲージの３本のゲージの中、１本側に使用する最も平均値径に近い１本側ゲージと、他の２本側のゲージが、三針ゲージの測定セット時に、該三針ゲージが迅速且つ容易にして、確実に識別できるように該三針ゲージに着色による識別もしくは形状による識別もしくは大きさによる識別を施した三針ゲージの分野に関するものである。
【背景技術】
【０００２】
出願人は、三針ゲージに関する特許・実用新案の公開、公告、登録公報類を検索してみたが検索することができなかった。
【０００３】
しかし、従来から限界ねじゲージのねじの有効径を測定するための三針ゲージは、市販されていた。
【０００４】
前記三針ゲージは、３本の三針ゲージ吊り具などの付属物（例えば銘盤）に、外径の大きい順に、「１、２、３」と番号が付されて使用されている程度であった。
【０００５】
そのため、第１に、従来市販の三針ゲージを構成するゲージ体を吊り下げている鎖等の上方部に接続されている銘盤に付記されている番号表記が、余りにも小さいため、作業者らには大変見難くて測定作業がやりにくかった。
【０００６】
第２に、従来市販の三針ゲージを構成する三針ゲージ体を吊り下げる３本の吊り具である鎖同士が、細くて、しかも折曲しやすいために、絡み合って解すのに時間を要し、三針ゲージを構成するゲージ体と表記番号の照合が極めて困難であった。
【０００７】
第３に、従来市販の三針ゲージは、該ゲージを構成する３本のゲージ体の中の平均針径が三針ゲージの銘盤に表示されておらず、検査表や器物・容器に表示されているため、ねじの有効径の計算時において検査表や器物・容器をわざわざ取り出して平均径を確認するのに手間がかかり煩雑であり、且つ時間を要していた。
【０００８】
さらに、従来の三針ゲージは、測定時に被測定物（ねじ）、三針ゲージ及びマイクロメータ等の測定器が必要なため何らかの手段、方法で前記した３者の中、一者以上のものを固定しないと三針ゲージによる測定が大変困難であり、煩雑であって時間を要していた。
【０００９】
また、従来の三針ゲージは、前記のような測定手法のため測定値の信頼性にも悪影響を及ぼしていた。そのためユーザー側が何かしらの生活の知恵で器具例えばハイトゲージを利用し、三針ゲージを吊り下げる等の工夫をして固定し、測定するというのが実態であり、三針ゲージ専用の商品は存在しなかった。
【００１０】
前記従来の三針ゲージを使用しての実施に関する実情は以下のとおりである。
【００１１】
第１に、従来三針ゲージをセットするための特定の測定器が市販されていなかったので、別設するハイトゲージの腕杆に三針ゲージを構成している銘盤の上方部に接続している吊り紐を引掛け前記３本の三針ゲージを懸下する。
【００１２】
第２に、前記ハイトゲージ以外にマイクロメータを固定するマイクロメータスタンドを使用する。
【００１３】
第３に、前記ハイトゲージに懸下されている三針ゲージのゲージ体が、前記マイクロメータスタンドに固定のマイクロメータを構成するスピンドルとアンビルとの間に位置するようにセットする。
【００１４】
第４に、測定者が左手で前記限界ねじゲージの本体を測定しようとする限界ねじゲージのねじを測定者の手前側に向け、且つ限界ねじゲージを稍水平状につかみながら、前記マイクロメータのスピンドルとアンビルとの間に介在する。
【００１５】
次に３本ゲージの中、前記したような特性を有する平均値径に近い１本側ゲージのゲージ体を、前記限界ねじゲージのねじの山斜面に接触させ、他の２本側のゲージのゲージ体を１本側限界ねじゲージのゲージ体が接触している反対側にして、且つ前記１本側限界ねじゲージのゲージ体が、接触しているねじの山斜面の左側山斜面と右側山斜面に接触させる。その際、前記限界ねじゲージは測定者の左手指でしっかりつかまれた状態である。
【００１６】
前記の状態を確保しながら、測定者は、測定者の右手指でマイクロメータのハンドルを回転操作をさせながら、マイクロメータのスピンドルとアンビルとを前記三針ゲージの１本側ゲージのゲージ体と２本側ゲージのゲージ体に夫々接触せしめ測定値を測定し、限界ねじゲージのねじ有効径を算出する。
【００１７】
上記の従来の三針ゲージには専用の器具はなかった。
【先行技術文献】
【特許文献】
【００１８】
【特許文献１】特開２００４−１０１４３４公開特許公報
【発明の概要】
【発明が解決しようとする課題】
【００１９】
前記特許文献１（特開２００４−１０１４３４公開特許公報）に記載の発明は、限界ゲージであって、三針ゲージに関する発明を開示したものではない。
【００２０】
しかるに、本発明の三針ゲージは、ねじの有効径を測定する３本のゲージから構成されている三針ゲージの中、１本側に使用する最も平均針径に近い１本側ゲージと、他の２本側ゲージを着色による識別もしくは形状による識別もしくは大きさによる識別とするか、もしくは三針ゲージの１本側ゲージと２本側ゲージのゲージ体を接続する吊り部、もしくは前記吊り部の下端分のゲージ体を着色による識別もしくは形状による識別もしくは大きさによる識別とすることによって、前記三針ゲージの測定セット時に該三針ゲージが迅速且つ容易にして確実に識別することができるようにした。
【００２１】
さらに本発明は、マイクロメータを装着するマイクロメータスタンドに、三針ゲージを懸下せしめるアームを取着する支柱を立設し、且つ前記マイクロメータスタンドに、上下方向に伸縮自在な上端部に限界ねじゲージを載置する限界ねじゲージスタンドを取着し、且つ限界ねじゲージスタンドを支承するねじ部付き限界ねじゲージスタンド支持脚を固着する三針ゲージ等測定スタンドを有する測定器を別設し、前記測定器の限界ねじゲージスタンドに被測定物の限界ねじゲージを載置し、前記限界ねじゲージのねじ部が前記マイクロメータの測定部のスピンドルとアンビルの間に位置するように前記限界ねじゲージスタンドを手指で、前記限界ねじゲージのねじ部が測定しやすい高さに調整し、前記限界ねじゲージスタンド支持脚に取着のねじ部で締め付け固定し、前記支柱のアームに、三針ゲージを構成する銘盤の上方部を引掛け、前記銘盤の下方部に接続する着色による識別もしくは形状による識別もしくは大きさによる識別を施した１本側に使用する最も平均針径に近い１本側ゲージと、他の２本側ゲージを構成するゲージ体を、三針ゲージの測定方法に従って前記限界ねじゲージのねじ部を形成するねじ山の斜面部に接触し、接触後前記マイクロメータの測定部のスピンドルとアンビルを接触せしめて測定値を計測し、限界ねじゲージのねじ部の有効径を測定せしめる三針ゲージ及び測定器並びに測定方法によって、限界ねじゲージのねじの有効径を正確にしてしかも迅速に測定し算出することができるようにした。
【００２２】
また、本発明は、前記測定器を構成する限界ねじゲージスタンドに載置する限界ねじゲージの一端部を支持する支承部を左側方部に、右側方部に切欠状のスライド部を有するベース板と、前記ベース板のスライド部にスライドが可能な前記限界ねじゲージの他端部を押圧支持する押圧支持部を突設するスライド支承部とからなるアタッチメントを別設し、前記アタッチメントの支承部とスライド支承部との間に限界ねじゲージの両端部を押圧支持して挾着せしめ、挾着した前記アタッチメントを前記限界ねじゲージスタンドに載置しながら、前記三針ゲージを使用して限界ねじゲージのねじ部の有効径を算出する作業が、極めて簡単にして、且つ迅速にしかも確実にできるようにした。
【課題を解決するための手段】
【００２３】
課題を解決するための手段として、請求項１に記載の発明は、ねじの有効径を測定する上方部に金属板製銘盤１０を設け、該銘盤１０の下方部に吊り部４、５、６を有し、前記吊り部４、５、６の下方部にゲージ体１、２、３が連接されている３本のゲージａ、ｂ、ｃから構成されている三針ゲージＡにおいて、前記三針ゲージＡの中、１本側に使用する最も平均針径に近い１本側ゲージｂに、他の２本側ゲージａ、ｃと識別することができるように前記１本側ゲージｂを着色による識別を施す三針ゲージである。
【００２４】
課題を解決するための手段として、請求項２に記載の発明は、ねじの有効径を測定する上方部に金属板製銘盤１０を設け、該銘盤１０の下方部に吊り部４、５、６を有し、前記吊り部４、５、６の下方部にゲージ体１、２、３が連接されている３本のゲージａ、ｂ、ｃから構成されている三針ゲージＡにおいて、前記三針ゲージＡの中、１本側に使用する最も平均針径に近い１本側ゲージｂ以外の２本側ゲージａ、ｃに、前記１本側ゲージｂと識別することができるように着色による識別を施す三針ゲージである。
【００２５】
課題を解決するための手段として、請求項３に記載の発明は、前記着色による識別を施す対象物が、三針ゲージＡの１本側ゲージｂもしくは２本側ゲージａ、ｃのゲージ体１、２、３を接続する金属製銘盤１０の下方部に設けられている吊り部４、５、６である三針ゲージである。
【００２６】
課題を解決するための手段として、請求項４に記載の発明は、前記着色による識別を施す対象物が、金属製銘盤１０の下方部に設けられている前記吊り部４、５、６の下端部のゲージ体１、２、３である三針ゲージである。
【００２７】
課題を解決するための手段として、請求項５に記載の発明は、ねじの有効径を測定する上方部に金属製銘盤１０を設け、該銘盤１０の下方部に吊り部４、５、６を有し、前記吊り部４、５、６の下方部にゲージ体１、２、３が連接されている３本のゲージａ、ｂ、ｃから構成されている三針ゲージＡにおいて、前記３本の三針ゲージＡの中、１本側に使う最も平均値に近い１本側ゲージｂ及び２本側ゲージａ、ｃを接続する銘盤１０に、前記１本側ゲージｂの平均針径を表記せしめる三針ゲージである。
【００２８】
課題を解決するための手段として、請求項６に記載の発明は、ねじの有効径を測定する上方部に金属板製銘盤１０を設け、該銘盤１０の下方部に吊り部４、５、６を有し、前記吊り部４、５、６の下方部にゲージ体１、２、３が連接されている３本のゲージａ、ｂ、ｃから構成されている三針ゲージＡにおいて、前記三針ゲージＡの中、１本側に使用する最も平均針径に近い１本側ゲージｂの吊り部５が、他の２本側ゲージａ、ｃの吊り部４、６と識別することができるように、前記１本側ゲージｂの吊り部５を形状による識別もしくは大きさによる識別を施す三針ゲージである。
【００２９】
課題を解決するための手段として、請求項７に記載の発明は、ねじの有効径を測定する上方部に金属板製銘盤１０を設け、該銘盤１０の下方部に吊り部４、５、６を有し、前記吊り部４、５、６の下方部にゲージ体１、２、３が連接されている３本のゲージａ、ｂ、ｃから構成されている三針ゲージＡにおいて、前記三針ゲージＡの中、１本側に使用する最も平均針径に近い１本側ゲージｂの吊り部５以外の２本側ゲージａ、ｃの吊り部４、６が、前記１本側ゲージｂの吊り部５と識別することができるように形状による識別もしくは大きさによる識別を施す三針ゲージである。
【発明の効果】
【００３０】
請求項１に記載の発明は、ねじの有効径を測定する３本のゲージから構成されている三針ゲージにおいて、前記三針ゲージの中、１本側に使用する最も平均針径に近い１本側ゲージに、他の２本側ゲージと識別することができるように前記１本側ゲージを着色による識別を施す三針ゲージなので、三針ゲージの中の１本側ゲージと２本側ゲージを迅速にして且つ容易に、さらに確実に識別することができる。そのため三針ゲージのセット作業が迅速且つ容易に処理することができる利点がある。
【００３１】
請求項２に記載の発明は、ねじの有効径を測定する３本のゲージから構成されている三針ゲージにおいて、前記三針ゲージの中、１本側に使用する最も平均針径に近い１本側ゲージ以外の２本側ゲージに、前記１本側ゲージと識別することができるように前記２本側ゲージを着色による識別を施す三針ゲージなので、前記請求項１に記載の発明と同じ効果を有している。
【００３２】
請求項３に記載の発明は、前記着色による識別を施す対象物が、三針ゲージの１本側ゲージもしくは２本側ゲージのゲージ体を接続する吊り部である三針ゲージなので、前記請求項１に記載の発明と同じ効果を有している。
【００３３】
請求項４に記載の発明は、前記着色による識別を施す対象物が、前記吊り部の下端部のゲージ体である三針ゲージなので、前記請求項１に記載の発明と同じ効果を有している。
【００３４】
請求項５に記載の発明は、前記３本の三針ゲージの中、１本側に使う最も平均値に近い１本側ゲージ及び２本側ゲージを接続する銘盤に、前記１本側ゲージの平均針径を表記せしめる三針ゲージなので、前記請求項１に記載の発明と同じ効果を有している。
【００３５】
さらに、本発明は、１本側ゲージの銘盤に計算時に必要な平均値径を三針ゲージに表記したので、従来の三針ゲージ測定方法とは異なり、他の検査表や器物・容器を参照する手間を省くことができる利点がある。
【００３６】
請求項６に記載の発明は、ねじの有効径を測定する上方部に金属板製銘盤を設け、該銘盤の下方部に吊り部を有し、前記吊り部の下方部にゲージ体が連接されている３本のゲージから構成されている三針ゲージにおいて、前記三針ゲージの中、１本側に使用する最も平均針径に近い１本側ゲージの吊り部が、他の２本側ゲージの吊り部と識別することができるように、前記１本側ゲージの吊り部を形状による識別もしくは大きさによる識別を施す三針ゲージなので、前記請求項１に記載の発明と同じ効果を有している。
【００３７】
請求項７に記載の発明は、ねじの有効径を測定する上方部に金属板製銘盤を設け、該銘盤の下方部に吊り部を有し、前記吊り部の下方部にゲージ体が連接されている３本のゲージから構成されている三針ゲージにおいて、前記三針ゲージの中、１本側に使用する最も平均針径に近い１本側ゲージの吊り部以外の２本側ゲージの吊り部が、前記１本側ゲージの吊り部と識別することができるように形状による識別もしくは大きさによる識別を施す三針ゲージなので、前記請求項１に記載の発明と同じ効果を有している。
【図面の簡単な説明】
【００３８】
【図１】本発明三針ゲージにおいて使用する三針ゲージの正面図である。
【００３９】
【図２】同三針ゲージを測定器にセットした状態の測定器の斜視図である。
【００４０】
【図３】同測定器の側面図である。
【００４１】
【図４】同測定器の使用状態を示す一部切欠斜視図である。
【００４２】
【図５】同測定器の限界ねじゲージスタンドに限界ねじゲージを載置して限界ねじゲージのねじ部をマイクロメータの測定部の間に位置せしめ測定している状態の一部切欠斜視図である。
【００４３】
【図６】同測定器の限界ねじゲージスタンドにアタッチメントを使用し三針ゲージを測定している一部切欠斜視図である。
【００４４】
【図７】限界ねじゲージを挾着するアタッチメントの斜視図である。
【００４５】
【図８】図７に限界ねじゲージを挾着したアタッチメントの斜視図である。
【００４６】
【図９】図７のアタッチメントに限界ねじゲージを挾着しようとしてベース板に対し上方部にスライドさせているアタッチメントの斜視図である。
【００４７】
【図１０】図９のアタッチメントの状態からスライド支承部を右方向にスライドせしめたアタッチメントの斜視図である。
【００４８】
【図１１】図９の状態のスライド支承部を下方向にスライドさせたアタッチメントの斜視図である。
【００４９】
【図１２】皿ねじの位置を示すアタッチメントの底面図である。
【００５０】
【図１３】図１２のアタッチメントにおける皿ねじの位置が変化した状態を示すアタッチメントの底面図である。
【００５１】
【図１４】（Ａ）は限界ねじゲージのねじ部の山部の斜面部に３本の三針ゲージのゲージ体が接触し、マイクロメータが接触している状態の一部切欠平面図であり、（Ｂ）は（Ａ）における限界ねじゲージと三針ゲージのゲージ体とマイクロメータの右側面図である。
【発明を実施するための最良の形態】
【００５２】
請求項１〜７に記載されている発明の実施の形態は、共通しているので以下のとおり一括して説明する。
【００５３】
図においてＡは本発明の三針ゲージであり限界ねじゲージｆのねじ部１７を測るためのゲージであり以下の構成からなっている。
【００５４】
ｂは前記三針ゲージＡを構成する１本側に使用する平均針径に近い１本側ゲージである。  
【００５５】
ａ、ｃは前記１本側ゲージｂ以外の他の２本側ゲージである。
【００５６】
前記１本側ゲージｂは、上方部に通常円形状の金属板製銘盤１０を設け、該銘盤１０の下方部に金属製の通常鎖状吊り部５を有し、且つ前記吊り部５の下方部にはＪＩＳ  Ｂ  ０２７１  ねじ測定用三針及びねじ測定用四針にもとづき形成されたゲージ体２が連接されている。
【００５７】
本発明は、前記２本側ゲージａ、ｃについても、前記１本側ゲージｂの構成と同じように1本側ゲージｂの上方部に接続している金属板製銘盤１０に接続されている。そして、前記銘盤１０の下方部に、前記１本側ゲージｂと同様に金属製鎖状吊り部４、６が設けられ、さらに前記吊り部４、６の下方部に前記１本側ゲージｂと同様にＪＩＳ  Ｂ  ０２７１  三針ゲージ及びねじ測定用四針にもとづくゲージ体１、３が連接されている。
【００５８】
本発明は、前記三針ゲージＡの中、１本側に使用する最も平均針径に近い１本側ゲージｂに、他の２本側ゲージａ、ｃと識別できるように前記１本側ゲージｂを着色による識別もしくは形状による識別もしくは大きさによる識別を施すことである。
【００５９】
本発明は、前記のように１本側ゲージｂ以外の２本側ゲージａ、ｃについて、測定のためのセット時に前記１本側ゲージｂと簡単にして、且つ容易に識別ができるようにするために、着色による識別もしくは形状による識別もしくは大きさによる識別を施してもよい。
【００６０】
上記のとおり、本発明の１本側ゲージｂ及び２本側ゲージａ、ｃは、１枚の金属板製銘盤１０に懸下する鎖状吊り部４、５、６と前記各吊り部４、５、６の下方部に接続されている３本のゲージ体１、２、３とから構成されている。
【００６１】
本願発明は、３本のゲージａ、ｂ、ｃの中、最も平均値径に近い１本側ゲージｂのみを、他の２本側ゲージａ、ｃと識別しやすいように、１本側ゲージｂの鎖状吊り部５もしくはゲージ体１に、任意の着色（例えばゴールド色、シルバー色等）による識別もしくは形状による識別もしくは大きさによる識別の何れかを施すものである。
【００６２】
本発明は、前記した1本側に使用する平均値径に近い１本側ゲージｂ以外の他の２本側ゲージａ、ｃを構成する鎖状吊り部４、６もしくはゲージ体１、３に、任意の着色（例えばゴールド色、シルバー色等）による識別もしくは形状による識別もしくは大きさによる識別の何れかを施すこともできる。
【００６３】
本発明は、前記1枚の銘盤１０に計算時に必要な平均値径を表記する（図示なし）。
【００６４】
前記のように表記すると、他の検査表や器物・容器を参照する手間を省くことができる。
【００６５】
７、８、９は鎖である。
【００６６】
図において、Ｂは測定器であり以下の構成からなっている。
【００６７】
マイクロメータｄを装着するマイクロメータスタンドｅに限界ねじゲージ用三針ゲージＡを垂下するアーム１１を取着する支柱１２を立設する。そして前記マイクロメータスタンドｅに上下方向に伸縮自在な上端部に限界ねじゲージｆを載置し、且つ前記支柱１２を併設する限界ねじゲージスタンド１３を支持する限界ねじゲージスタンド支持脚１５を固着する三針ゲージ等測定スタンド１６を設ける。
【００６８】
前記限界ねじゲージスタンド支持脚１５には該支持脚１５の適宜な高さを固定するためのねじ部１４を取着する。
【００６９】
本発明の前記限界ねじゲージスタンド支持脚１５は、昇降自在な桟構として、ばね等を内蔵（図示なし）せしめるか、もしくは外側方にばね（図示なし）を旋廻した構成でもよい。
【００７０】
本発明の前記限界ねじゲージスタンド１３は、図面図示の形状に限定するものではない。しかし少なくとも、載置した限界ねじゲージｆのねじ部１７が、図面図示のようにマイクロメータｄの測定部であるスピンドル１８とアンビル１９との間に存在できるように、開口状に形成されている。
【００７１】
本発明は、前記限界ねじゲージスタンド１３に載置する限界ねじゲージｆの大きさ等サイズの異なる場合でも，測定作業性を良好にするための治具として、アタッチメントＣを使用する。
【００７２】
該アタッチメントＣの実施例は以下のとおりである。
【００７３】
左側方部２５には、前記測定器Ｂを構成する限界ねじゲージスタンド１３に載置する限界ねじゲージｆの一端部２３を支持する支承部２４を形成する。右側方部２６には、切欠状のスライド部２７を有するベース板２８と、前記ベース板２８のスライド部２７にスライドが可能な前記限界ねじゲージｆの他端部２９を押圧支持する押圧支持部３０を突設するスライド支承部３１を形成する。
【００７４】
前記限界ねじゲージｆの一端部２３を支持する支承部２４は、前記ベース板２８の左側方部を直角状に折曲せしめ形成すると共に、前記限界ねじゲージｆの左端面部にして、且つ中心部に形成する凹部（図示なし）に突刺する先端部が稍尖状にて形成されている突刺部２４ａを前記ベース板２８と平行状に形成する。
【００７５】
他方前記スライド支承部３１について説明すると以下のとおりである。
【００７６】
該スライド支承部３１は、前記ベース板２８の右側方部に細長形状にして、且つ左側部位と中間部位と右側部位に限界ねじゲージｆの長さに応じて調整するスライド孔２７、２７に、皿ねじ２７ａ（限定しない）を介してスライドできるよう接続する桟構である（図８〜１１）。
【００７７】
前記スライド支承部３１につき詳述すると、前記ベース板２８に密着する水平板部２８ａの右端部を折曲して折曲状支持部２６ａを形成する。そして該折曲状支持部２６ａに対し、該支持部２６ａにスライド杆３１ａを貫通する。そして前記スライド杆３１ａは折曲状支持脚の孔部より貫通している右側方部に、ストッパー３１ｂが形成されている。
【００７８】
前記折曲状支持部２６ａの左側方部に突設するスライド杆３１ａの左端部には、前記限界ねじゲージｆの右端部の中心部に形成する凹部（図示なし）に挿入する突刺部３０ａを有する押圧支持部３０を形成する。前記押圧支持部３０と前記折曲状支持部２６ａの間の前記スライド杆３１ａには、バネ３１ｃを巻廻する。そのため前記押圧支持部３０を右側方に押圧すると、前記バネ３１ｃが圧縮される桟構となっている。前記バネ３１ｃが圧縮されることによって、前記支承部２４と前記押圧支持部３０との間の間隔が大きく開き、前記限界ねじゲージｆの大きさに対応して前記限界ねじゲージｆが挾着可能となる。
【００７９】
前記本発明の前記ベース板２８と皿ねじ２７ａによって接続され、且つスライド可能な前記スライド支承部３１は、手指でつかみながら左側方にスライドさせたり、あるいは右側方にスライドさせたりすると、前記皿ねじ２７ａが直線状もしくは直線状にして、且つ若干切欠状の２条のスライド部２７間を若干きつめではあるが自在に移動することができる。
【００８０】
前記支承部３１は、皿ねじ２７ａの自在移動によって展開自在し、さらに大きさや形状の異なる前記限界ねじゲージｆを極めて簡単にして、且つ迅速に挾着できる。そのため、測定作業性を著しく高めることができる。
【００８１】
３２は前記アタッチメントＣのベース板２８に切欠状にて形成の握持した手指が、前記ベース板２８をつかみやすくした切欠部である（図７〜１３）。前記切欠部３２は、三針ゲージＡを挾着し、マイクロメータの測定スピンドルの間に位置決めを用意に行えるための切欠部でもある。
【００８２】
前記アタッチメントＣは、前記限界ねじゲージｆを挾着後限界ねじゲージスタンド１３に載置せしめて使用する（図２、５）。
【００８３】
つぎに、本発明の三針ゲージＡを使用してのねじの有効径の測定作業方法について説明する。
【００８４】
前記測定器Ｂを構成している水平にセットされている限界ねじゲージスタンド１３に限界ねじゲージｆを載置する。
【００８５】
その際、有効径を測定しようとしている限界ねじゲージｆのねじ部１７をマイクロメータｄのスピンドル１８とアンビル１９の間に位置するように、前記限界ねじゲージスタンド１３を手指で押圧調整してねじ部１７が測定しやすい高さになったところで緊締する。
【００８６】
前記三針ゲージＡの銘盤１０の上方部の吊り部１０ａをアーム１１に引掛け懸下させる。
【００８７】
前記の懸下によって、前記三針ゲージＡを構成している１本側に使用する最も平均針径に近い１本側ゲージｂと、他の２本側ゲージａ、ｃが、着色等によって識別されているため、各ゲージａ、ｂ、ｃを短時間で識別できる。
【００８８】
しかる後、１本側ゲージｂのゲージ体２を前記限界ねじゲージｆのねじ部１７を形成するねじ山２１の斜面部２２に接触させる（図２、６、１４Ａ）。さらに２本側三針ゲージａ、ｃのゲージ体１、３を懸下状態の前記１本側ねじゲージｂのゲージ体２を接触せしめたねじ部１７のねじ山２１の斜面部２２の両サイドのねじ山２１の斜面部２２、２２に懸下している２本側ゲージａ、ｃのゲージ体１、３を接触させるように懸下調整する（図２、６、１４Ａ）。
【００８９】
前記の測定工程後、前記マイクロメータｄのハンドルを回転させ前記スピンドル１８とアンビル１９を前記各ゲージ体ａ、ｂ、ｃに接触せしめ、ねじ部１７の外側寸法値を計測する。計測後は該外側寸法値を公式に入れ算出し、ねじの有効径を求める。
【００９０】
上記の算出方法は、ＪＩＳ  Ｂ  ０２７１ねじ測定用三針ゲージ及びねじ測定用四針としてＪＩＳ規格に定められている。
【００９１】
本発明のアタッチメントＣを使用しての測定方法を説明すると以下のとおりである。
【００９２】
前記限界ねじゲージｆは、前記アタッチメントＣの固定状態になっている前記支承部２４と前記スライド支承部３１との間に該スライド支承部３１を開くことによって介在できる。
【００９３】
その結果、図８のように前記限界ねじゲージｆはその両端部が挾着される。
【００９４】
前記限界ねじゲージｆの大きさが大きいときは、前記スライド支承部３１を手指でつかみ，右側方にスライドさせると、皿ねじ２７ａがスライド部２７、２７内をスライドして前記スライド支承部３１が右側方に若干移動する。
【００９５】
従って、若干大きい前記限界ねじゲージｆでも十分対応して挾着が可能である。
【００９６】
上記のように限界ねじゲージｆを挾着したアタッチメントＣを前記限界ねじゲージスタンドに載置し、前記した測定作業と同じ手順で実施すれば、前記限界ねじゲージｆのねじ部１７の外側寸法を計測することができる。そして計測後は該外側寸法値を公式に入れ算出しねじの有効径を求める。
【００９７】
なお、本発明の三針ゲージＡは、被測定物がゲージ以外のねじ製品の場合もある。その具体的事例としては、ねじ切りした車関係の部品や工作機械のねじ加工をしたスピンドル等がある。
【符号の説明】
【００９８】
Ａ        三針ゲージ
Ｂ        測定器
Ｃ        アタッチメント
ａ        ２本側ゲージ
ｂ        １本側ゲージ
ｃ        ２本側ゲージ
ｄ        マイクロメータ
ｅ        マイクロメータスタンド
ｆ        限界ねじゲージ
１        ゲージ体
２        ゲージ体
３        ゲージ体
４        吊り部
５        吊り部
６        吊り部
７        鎖
８        鎖
９        鎖
１０      銘盤
１１      アーム
１２      支柱
１３      限界ねじゲージスタンド
１４      ねじ部
１５      限界ねじゲージスタンド支持脚
１６      三針ゲージ等測定スタンド
１７      ねじ部
１８      スピンドル
１９      アンビル
２１      ねじ山
２２      斜面部
２３      一端部
２４      支承部
２４ａ    突刺部
２５      左側方部
２６      右側方部
２６ａ    折曲状支持部
２７      スライド部
２７ａ    皿ねじ
２８      ベース板
２８ａ    水平板部
２９      他端部
３０      押圧支持部
３０ａ    突刺部
３１      スライド支承部
３１ａ    スライド杆
３１ｂ    ストッパー
３１ｃ    バネ
３２      切欠部
【要約】
【課題】精密ねじ及び限界ねじゲージ等のねじの有効径を測定する３本のゲージの中、１本側に使用する最も平均値径に近い１本側ゲージと、他の２本側のゲージが、三針ゲージの測定セット時に、該三針ゲージが迅速且つ容易にして確実に識別することができる三針ゲージを提供する。
【解決手段】ねじの有効径を測定する３本のゲージから構成されている三針ゲージＡにおいて、前記三針ゲージＡの中、１本側に使用する最も平均値径に近い１本側ゲージｂに、他の２本側ゲージａ、ｃと識別することができるように前記１本側ゲージｂを着色による識別もしくは形状による識別もしくは大きさによる識別が施されている。
【選択図】    図１【図１】
0005846514.tif 000002
【図２】
0005846514.tif 000003
【図３】
0005846514.tif 000004
【図４】
0005846514.tif 000005
【図５】
0005846514.tif 000006
【図６】
0005846514.tif 000007
【図７】
0005846514.tif 000008
【図８】
0005846514.tif 000009
【図９】
0005846514.tif 000010
【図１０】
0005846514.tif 000011
【図１１】
0005846514.tif 000012
【図１４】
0005846514.tif 000013
【図１２】
0005846514.tif 000014
【図１３】
0005846514.tif 000015